(57)【特許請求の範囲】
【請求項１】
水道に連通する一次ポートと、給水装置へ連通する二次ポートと、前記一次ポートから前記二次ポートに流入する流量を調節する弁こまと、前記弁こまを作動させるスピンドルと、前記スピンドルを内部に含むスピンドルポートとを有する止水栓と、前記止水栓と連結するアウトポートと、前記スピンドルの一端に回動伝達可能な構成で嵌挿するスピンドルユニットと、前記スピンドルユニットを内蔵する本体とを備え、前記本体の一端に前記本体の外周を円周方向に回転自在なる構成で嵌挿するキャップを装着し、前記キャップは前記スピンドルユニットにキャップの回動を伝達する分岐水栓。
【請求項２】
前記スピンドルユニットの一端を、回動用工具で、回動可能な構造とした請求項１記載の分岐水栓。
【請求項３】
本体は、キャップが嵌合する略円筒状の溝を有し、前記キャップが前記溝をスラスト方向に摺動する構造とし、摺動する寸法にほぼ同寸法で前記スピンドルユニットを軸方向に押し込める構成とした請求項１又は請求項２記載の分岐水栓。
【請求項４】
本体の一端を嵌挿するキャップを着脱自在に装着する請求項１記載の分岐水栓。
【請求項５】
本体の一端を嵌挿するキャップを着脱不能に装置する請求項１記載の分岐水栓。
【発明の詳細な説明】
【０００１】
【発明の属する技術分野】
本発明は、給水装置用の分岐水栓に関するものである。
【０００２】
【従来の技術】
従来より給水装置への給水は、既設の水道配管に設けられた止水栓に、分岐水栓を接続して給水する方法が一般的であり、その代表例を図に基づいて説明する。
【０００３】
図９は、一般家庭のトイレ等に配設している代表的な止水栓の構造断面を示している。
【０００４】
１ａは水道に連なる一次ポートであり、１ｂはトイレのロータンクへ給水するための給水管２を接続する二次ポートである。１ｃは前記二次ポート１ｂの外周にＧ１／２（管用平行ねじ）が切られた二次ポート接続部であり、前記二次ポート１ｂに嵌挿した前記給水管２をパッキン５０を介して袋ナット５１で締結することにより水密接続可能な構成となっている。
【０００５】
７は前記一次ポート１ａから二次ポート１ｂに流れる水の開閉および流量調節をするための弁こまであり、止水栓１のスピンドルポート１６の内部に設けられた台形ねじによって進退するスピンドル１５の一端に嵌挿されている。
【０００６】
５はスピンドルキャップ（袋ナット）であり、スピンドルパッキン８およびパッキン保持用の平座金９を介して締結することによってスピンドルポート１６の端部と前記スピンドル１５とを水密可能な構成となっている。そして使用者が前記スピンドル１５の他端に設けたマイナス溝１５ｂをマイナスドライバー等の工具で回動することにより前記スピンドル１５の一端に嵌挿された弁こま７が進退し、前記一次ポート１ａから二次ポート１ｂに流れる水の開閉および流量調節ができるようになっている。
【０００７】
次に、分岐水栓について図１１を基に説明をする。６５は前記止水栓１から分岐し、洗浄装置本体へ給水するための分岐水栓であり、この分岐水栓６５は、前記スピンドルポート１６に接続する接続ポート６６ｂと、洗浄装置本体へ連通するアウトポート６７ａと、前記止水栓１のスピンドル１５を回動操作可能なスピンドルユニット６８を有している。
【０００８】
前記スピンドルユニット６８は、分岐水栓６５の本体６６に内蔵して回動するスピンドル本体６８の回動に応じて回動しながら軸方向に摺動する摺動子７９と、前記摺動子７９を押圧するばね８０とで構成している。前記摺動子７９は、前記止水栓１の前記スピンドル１５の端部に嵌合し、回動可能な構成となっている。つまり、回転トルクが伝達できる構成である。
【０００９】
６９は、スピンドルユニット６８と分岐水栓６５の本体６６とをシールするためのＯリング６９である。７０は、前記止水栓１のスピンドルポート１６と分岐水栓６５の本体６６とのシールをするためのＯリングであり、スピンドルポート１６と本体６６との接続は、一般的にねじで接合するものである。
【００１０】
６７は、アウトポートで分岐水栓６５の本体６６とパッキン７４・パッキン７５でシールされ、本体６６には、アウトポート６７に通じる通水穴７１が設けてある。
【００１１】
次に、図９と図１０および図１２を基に、前記止水栓１と前記分岐水栓６５との接続（施工）について説明する。まず、既設の止水栓１のスピンドル１５を回転して止水栓１を閉栓し、その状態でスピンドルキャップ５、スピンドルパッキン８、パッキン保持用の平座金９を取り外す（図１０参照）。
【００１２】
次に、分岐水栓６５を止水栓１のスピンドルポート１６に当接し、本体６６を回して水密接続する。この時、スピンドルユニット６８の摺動子７９は、止水栓１のスピンドル１５へ必然的に嵌合されるものである。
【００１３】
そして、使用時は、前記分岐水栓６５のスピンドルユニット６８を開栓方向に回動すると、スピンドルユニット６８に嵌合している止水栓１のスピンドル１５が連動して開栓方向に回動する。スピンドル１５が開栓すると、止水栓１の弁こま７が水圧で開き、止水栓１が開栓、二次ポート１６およびアウトポート６７から各給水系統に給水が開始される。
【００１４】
このように従来の分岐水栓６５によれば、既設の止水栓１のスピンドルキャップ５とスピンドルパッキン８等を外して、スピンドルポートのねじ部１６ａに前記既設の止水栓１のスピンドル１５を回動操作可能なスピンドルユニット６８を内蔵した分岐水栓６５を締結するだけで給水装置本体への給水が可能であった。その結果、既設の止水栓１からロータンクに連なる給水管を切断しなくても、又、水道の元栓を閉栓しなくてもトイレ内で簡単に給水分岐の施工が出来た。
【００１５】
【発明が解決しようとする課題】
しかし、一般家庭のトイレは、せまい場合が大半であり、既設の止水栓１は、便器やロータンクのかげにかくれていたり、便器レイアウトの都合等により、設置位置が様々である。従って、止水栓１に分岐水栓６５を設置しても給水できないケースがある。つまり、スピンドルユニット６８をマイナスドライバー等の工具で操作しようとしても、工具の入るスペースがなく、止水栓１の開閉栓操作ができないという重要な課題を有していた。
【００１６】
そのために、次の様な欠点を有していた。
１）止水栓の設置場所や設置スペース不足による分岐水栓の設置制約が多く発生していた。
２）施工現場では、既設の止水栓位置で分岐水栓の取付け及び、開閉栓操作が可能か否かの判断をするために、現場に事前確認をする必要があり、非常に煩わしいものであった。
【００１７】
【課題を解決するための手段】
本発明は、上記課題を解決するために、止水栓に接続する分岐水栓の本体の一端に嵌挿するキャップを着脱自在又は脱着不能に装着し、前記キャップは、本体の嵌挿部外周を円周方向に回転自在なる構成で嵌挿し、スピンドルユニットには、回動伝達可能な構成で嵌挿又は、結合してなる分岐水栓とするものである。
【００１８】
上記発明によれば、止水栓に設置した本発明の分岐水栓の場合、止水栓の開閉栓操作をする時に、分岐水栓のスピンドルユニットに工具が入らない場合でも、スピンドルユニットに嵌挿又は、結合しているキャップを分岐水栓の側方から回動させることができ、連動しているスピンドルユニットとスピンドルを開閉栓させることが出来る。つまり、分岐水栓の軸方向及び側方からのいずれの方法でも、止水栓の開閉栓操作が出来る為、設置制約条件が極端に減じるものであり、設置制約の心配がほとんど無いことにより、現場の設置可否を判断する事前確認も不要となるものである。
【００１９】
【発明の実施の形態】
本発明の請求項１に記載の発明は、水道に連通する一次ポートと、給水装置へ連なる二次ポートと、前記一次ポートから前記二次ポートに流入する水の開閉や流量調節をする弁こまと、前記弁こまを作動させるスピンドルと、前記スピンドルを内部に含むスピンドルポートを有する止水栓と、前記止水栓から給水分岐するアウトポートと、前記スピンドルの一端に回動伝達可能な構成で嵌挿するスピンドルユニットと、前記スピンドルユニットを内蔵する本体とを備え、前記本体の一端に嵌挿するキャップを着脱自在又は脱着不能に装着し、前記キャップは、前記本体の嵌挿部外周を円周方向に回転自在なる構成で嵌挿し、前記スピンドルユニットの嵌合部とは、回動伝達可能な構成で嵌挿又は、結合してなる分岐水栓としたものである。
【００２０】
そして、止水栓に接続した分岐水栓の軸方向にスペース余裕がある場合は、従来通り、工具でスピンドルユニットを回動させ止水栓の開閉栓操作をすることができる。又、軸方向にスペースがない場合には、分岐水栓の側方からキャップを回動させることで止水栓の開閉栓操作ができる。つまり、スピンドルユニットでも、キャップでもいずれの回動操作でも止水栓の開閉栓操作が出来るものである。
【００２１】
このように止水栓に分岐水栓が接続した後のスペース余裕に関する心配がほとんど無いことから、設置制約条件が著しく減り、現場施工のための事前確認が不要となるものである。
【００２２】
更に本発明の請求項２に記載の発明は、スピンドルユニットの一端に、回動用工具に嵌合する回動伝達可能な構造とし、キャップの概外周には、すべり止め構造又は、摩擦抵抗の高いすべり止め材料で構成している。
【００２３】
そのため止水栓の開閉栓操作をする時、分岐水栓のスピンドルユニットの一端にある回動用工具に嵌合する回動伝達可能な構造のため、回動用工具での操作が可能である。又、キャップの概外周にすべり止め構造又は、摩擦抵抗の高いすべり止め材料で構成する事により、手操作で止水栓の開閉栓が出来るものである。つまり、回動用工具でも、キャップを回動させる手操作のいずれでも止水栓の開閉栓操作が現場実態に合わせて自由に選択出来るものである。従って、手元に工具がない場合でも止水栓の開閉栓操作が可能である。
【００２４】
更に本発明の請求項３に記載の発明は、分岐水栓本体とキャップが嵌合する略円筒状の溝を有し、キャップが溝をスラスト方向に摺動する構造とし、摺動する寸法にほぼ同寸法でスピンドルユニットを軸方向に押し込める構成とする。
【００２５】
そのため、止水栓の開閉栓操作をする時、分岐水栓のスピンドルユニットが、長期不使用などで本体と固着状態にある時（スケール等の固着）、キャップの回動が手操作で難しい場合がある。この様に手操作でキャップの回動操作が出来ない場合でも、スピンドルユニットに押し込む力を加えながら回動させると、固着部が緩み、比較的小さな力（手操作可能な力）で、回動操作がスムーズに行なえる。従って、止水栓の開閉栓がスムーズに手操作で出来るものである。
【００２６】
以下本発明の給水装置用分岐水栓の一実施例を図面に基づいて説明する。なお、従来例と同一部品については同一符号を付している。
【００２７】
（実施例１）
図８は衛生洗浄装置の斜視図である。１８は洋式便器２０の後部上面に載置固定した衛生洗浄装置であり、大きくは洗浄装置本体１９と、この洗浄装置本体１９に回動自在に設けた便座２１、および便ふた２２とからなっている。前記洗浄装置本体１９には、人体の肛門、局部等を洗浄するための洗浄装置（温水タンク，電磁弁，洗浄ノズルユニット，制御ユニット等）および、洗浄した後、おしりを温風で乾かす乾燥装置（温風ヒータ，ファンモータ，風洞ユニット等）を内蔵している。
【００２８】
次に給水経路について簡単に説明する。１は一次側が水道管に接続され、二次側がロータンク３に連通している止水栓であり、６５は洗浄装置本体１９へ分岐するための分岐水栓である。さらにこの分岐水栓６５の下流には洗浄装置本体１９へ連なる連結管１３が接続し、洗浄装置本体１９へと給水するようになっている。
【００２９】
次に分岐水栓６５の構成について図１，図２を基に説明する。分岐水栓６５は大きく分けると、本体６６と、アウトポートユニット６７と、スピンドルユニット６８とキャップ９０から構成している。
【００３０】
前記本体６６は、鍛造用黄銅棒等を素材として切削加工（樹脂成形・鋳造・鍛造・ダイキャスト等他の加工や異なる材料でも良い）により、略円筒形状に形成し、内部の中空水路部６６ａは、前記スピンドルユニット６８が内装され、Ｏリング６９により本体６６の内壁と前記スピンドルユニット６８の外周が水密を保つようになってあり、指で軽く軸方向に押すと動く程度の嵌合状態としている。
【００３１】
そして前記中空水路部６６ａの入口の接続ポート６６ｂには既設の一般の止水栓１のスピンドルポートねじ部１６ａに螺合する接続ポートねじ（ウイットネジＷ２４山２０）６６ｃを設けている。そしてこのスピンドルポートねじ部１６ａの奥にはスピンドルポートねじ部１６と接続ポート６６ｂとを螺合接続したときに水密にするためのＯリング７０を設けている。
【００３２】
７１は単数又は複数の通水穴であり、前記スピンドルユニット６８が内装した状態で水路室７２が保たれる位置に設けており、７３は前記本体６６の外周に設けた連通溝であり、この両サイドにはパッキン７４・７５を併設し、前記通水穴７１から回動ポート６７ａに水路が連なる様に構成している。
【００３３】
７６は前記本体６６の先端部の操作ポート７７の外周に設けた既設の止水栓の二次ポート接続部と同一の管用平行ねじ（Ｇ１／２）が切られた給水接続部である。なお前記操作ポート７７の開口部および前記スピンドルユニット６８が内装される中空水路部６６ａの内径は既設の止水栓の二次ポートに接続している一般的な給水管２が装着できるような寸法にしている。
【００３４】
前記アウトポート６７は前記本体６６の外周に設けた連通溝７３と、この両サイドに併設したパッキン材７４，７５を覆うように設けた本体周接部６７ｂと前記連通溝７３に対する位置に設けた回動ポート６７ａを有している。８８は前記本体６６に装着した前記本体周接部６７ｂが外れないようにするための鋼線等からなる規制リングである。そしてこのような構成から前記アウトポートユニット６７は本体６６に組み立てた状態で回動ポート６７ａの方向は分岐栓の軸センタＸを中心として３６０度フリーな位置に回転出来る構成となっている。前記回動ポート６７ａには洗浄装置本体１９（図８）へ連なる連結管１３（図８）が接続するようになっている。
【００３５】
次にスピンドルユニット６８について図４を基に説明する。図４（ａ）はスピンドルユニット６８の組み立て断面を示しており、スピンドル本体７８（図４（ｂ）に示す）と、摺動子７９（図４（ｃ）に示す）と、ばね８０とからなり、前記摺動子７９は既設の止水栓１のスピンドル１５の端部のマイナス溝１５ｂのスリットに嵌合して回動トルクを伝えるための着脱板８１を有しており、この着脱板８１は例えば板厚がｔ１．２ミリのステンレス鋼板等からなり、前記摺動子７９の外周に延出した縦溝７９ｆに両端を挿入し、簡単に着脱できるようになっている。また７９ｅは着脱板８１を外した部分に設けているセレーション溝であり、一般的なハンドル付の止水栓のハンドルを外したスピンドルに設けられているセレーション１５ｃと嵌合するようになっている。
【００３６】
また前記摺動子７９は前記スピンドル本体７８に内装され、軸方向に摺動するとともに前記スピンドル本体７８を回動させると前記既設の止水栓１のスピンドル１５に回動トルクが伝わるようにするために前記縦溝７９ｆに対応する外郭部に回転規制ガイド７９ａ，７９ｂ（複数）を有している。
【００３７】
７９ｃは前記スピンドル本体７８に前記摺動子７９を内装したときにばねの押圧力で外れないようにするための解体規制突起である。
【００３８】
また前記スピンドル本体７８は前記ばね８０と前記摺動子７９を内装し、外郭には前記摺動子７９の回転規制ガイド７９ａ，７９ｂに対応して嵌合する摺動スリット７８ａ，７８ｂ（複数）を設けている。７８ｃは前記摺動子７９の解体規制突起７９ｃが摺動するときのガイド穴である。７８ｄはＯリング溝であり、Ｏリング８２を装着している。７８ｅは前記スピンドル本体７８の端部に設けたマイナスドライバーの先が嵌合するように設けた操作溝である。
【００３９】
次に図３を説明する。９０はキャップであり、分岐水栓６５の本体６６の一端に設けている略円筒状の嵌挿溝９１に、キャップ９０の内面に設けている複数又は円筒状のキャップ突起９３を着脱自在又は脱着不能に装着し、給水接続部７６の補護も兼ねている。又、キャップ９０と嵌挿溝９１は、本体６６との嵌合部外周を円周方向に回転自在なる構成で嵌挿している。更に、キャップ９０のほぼ中央に設けている嵌挿穴９４は、スピンドルユニット６８一端に回動伝達可能な構成で嵌挿（例、スピンドルユニット６８のＤカット部とキャップ９０の嵌挿穴９４の嵌合など）又は、結合（例、ビス止め・カシメなど）させている。
【００４０】
そして次に、既設の止水栓１と前記分岐栓６５の接続方法について説明する。まず図８に示す一般的な止水栓１に接続する場合について説明する。図９に示すように、既設の止水栓１のスピンドル１５を回動して止水栓１を閉栓し、その状態でスピンドルキャップ５，スピンドルパッキン８，パッキン保持用の座金９を取り外す。
【００４１】
そしてその状態の止水栓１のスピンドルポートのねじ部１６に、前記スピンドルユニット６８を内装した分岐水栓６５の接続ポートねじ６６ｃの螺合接続する（図１および図８の状態となる）。そして前記スピンドル本体７８の端部に設けた操作溝７８ｅをマイナスドライバーで回動又はキャップ９０を回動することによって前記摺動子７９にトルクが伝達され、そして既設の止水栓１のスピンドル１５の端部にあるマイナス溝１５ｂに、前記着脱板８１が嵌合し、回動して前記既設の止水栓１のスピンドル１５にトルクが伝わり、台形ねじによって前記スピンドル１５の他端部に挿入した弁こま７が進退し、前記止水栓１の一次ポート１ａから二次ポート１ｂに流れる水の開閉および流量調節をする。
【００４２】
そして、スピンドル１５の全長寸法が多少ばらついても前記スピンドルユニット６８に内装している前記ばね８０によって前記摺動子７９をスピンドル１５側へ常に押しているので嵌合部が離れることなく、確実にトルク伝達ができるものである。
【００４３】
（実施例２）
図５は、キャップ９０とスピンドルユニット６８の一端との嵌挿又は結合形態とキャップ９０のすべり止め構造及びスピンドルユニット６８と回動工具の嵌合形態を示した一実施例である。つまり回動工具操作又は、手操作のいずれかの回動手段を分岐水栓６５の設置状況に応じて選択することが出来る。従って、分岐水栓６５の設置制約が極端に少なくなるものである。
【００４４】
図５（ａ），（ｂ）は、キャップ９０とスピンドルユニット６８の一端との嵌合例と結合例の一実施例を示す。
【００４５】
図５（ａ）には、キャップ９０の嵌挿穴９４が、スピンドルユニット６８のＤカット部に嵌合する形状であり、このＤカット部で回動伝達が可能な構成としている。
【００４６】
図５（ｂ）は、キャップ９０とスピンドルユニット６８をビス等の締結部品で固定し、回動伝達を可能にした一実施例である。
【００４７】
この様にキャップ９０とスピンドルユニット６８の嵌挿又は、結合形態を有する手段であれば、前記同様の効果が得られるものである。
【００４８】
図５（ｃ），（ｄ），（ｅ）については、キャップ９０のすべり止め構造を示した一実施例である。
【００４９】
図５（ｃ）は、キャップ９０の略外周に凸状（凹状）に、すべり止めツマミ９０ｃを複数個設ける。このすべり止めツマミ９０ｃは、キャップ９０の回動操作時の手の指又は、工具のすべり防止の役目を果す、回動を容易にする手段の一実施例である。
【００５０】
図５（ｄ）は、キャップ９０の略外周に複数の凸状の回動ツマミ９０ｄを設けて、前記同様の効果を出す一実施例である。
【００５１】
図５（ｅ）は、キャップ９０の略外周に摩擦係数の高いゴムキャップ９０を結合した構成である。
【００５２】
この様に、キャップ９０の略外周にすべり止め構造を有する構造又は材料を設けてなる手段であれば、前記同様の効果が得られるものである。
【００５３】
図５（ｆ），（ｇ），（ｈ）は、スピンドルユニット９０と回動用工具の嵌合形状を示した一実施例である。
【００５４】
図５（ｆ）は、マイナスドライバー用６８Ａ、図５（ｇ）は、＋ドライバー用６８Ｂ、図５（ｈ）は六角レンチ用６８Ｃであり、市販工具の形状に合わせたり、複合形状の組み合わせ構造にすることで、スピンドルユニット６８の回動操作範囲を拡大することが出来る。
【００５５】
（実施例３）
図６，図７は、分岐水栓６５の本体６６の一端に嵌合させるキャップ９０と嵌挿する溝９１に、スラスト方向にｌ1 だけ摺動する構成とし、このｌ1 摺動寸法にほぼ同寸法に、キャップ９０で、スピンドルユニット６８を軸方向に押し込める構造としている（ｌ1 寸法以上でも良い）一実施例である。
【００５６】
この様な構成の場合、止水栓１の開閉栓操作をする場合で、長期間不使用状態にある時、スピンドルユニット６８の回動操作が出来ない場合がある（スケール固着など）。この時、上記実施例の様に、キャップ９０でスピンドルユニット６８を軸方向に押し込みながら回動させると、Ｏリング６９が摺動して、比較的容易な力（手操作可能な力）で、固着部が緩み回動操作がスムーズになる。従って、止水栓１の開閉栓操作が容易に行なえるものである。
【００５７】
なお、本発明は衛生清浄装置を基本に説明してきたが、これに限らず他の給水機器、給水装置への分岐給水に関しても同様である。又、アウトポート６７と本体６６は、別部品として説明したが、一体部品であっても、同様の効果が得られることは、言うまでもない。
【００５８】
【発明の効果】
従来、トイレがせまくて、止水栓が、ロータンクや、便器の裏側にかくれてしまい、分岐水栓を取付けた後に、止水栓の開閉栓操作が出来ないという課題があり、設置上の大きな制約を受けていた。しかし、本発明によると、分岐水栓にキャップを着脱自在又は、脱着不能に装着し、分岐水栓本体の嵌挿部外周を円周方向に回転自在に嵌挿し、スピンドルユニットに回動伝達可能な構成で嵌挿又は結合することにより、以下の効果を奏する。
（１）分岐水栓のキャップ及びスピンドルユニットの両方で、止水栓の開閉栓操作が可能になった。そのため止水栓がかくれたせまい空間に置かれた時でも、分岐水栓の軸方向か側方側に必ずスペースが存在することから、分岐水栓取付後の開閉栓操作が出来ないと言う設置制約が、大巾に減少した。
（２）施工準備のため、既設の止水栓位置や設置スペースの有無を事前確認する煩わしい作業が不必要となり、施工者の設置不安が大巾に減少した。
（３）スピンドルユニットの一端に、回動工具に嵌合する回動伝達可能な構成とし、キャップの概外周には、すべり止め構造又は、摩擦抵抗の高いすべり止め材料（ゴム材料など）で構成することにより、止水栓の開閉栓操作を、回動工具を用いて行なう場合や、手操作でキャップを回動させることで可能となった。従って、分岐水栓の設置状況に応じて、工具や、手操作で簡単に止水栓の開閉栓操作が出来る様になった。
（４）分岐水栓の本体とキャップの嵌合部に、キャップのスラスト方向への摺動部を設け、その摺動寸法にほぼ同寸法のスピンドルユニットを軸方向に押し込める構成とすることで、スピンドルユニットの固着（スケール等）状態にある場合でも、キャップを押し込みながら回動させることで、スピンドルユニットの固着部が緩み、止水栓の開閉栓が容易に出来るものである。
【図面の簡単な説明】
【図１】本発明の一実施例における給水装置用分岐水栓の取付け完了状態を示す構造断面図
【図２】同実施例の分岐水栓の構造断面図
【図３】同実施例の分岐水栓のキャップ部におけるＡ部詳細図
【図４】（ａ）同実施例の分岐水栓に内装しているスピンドルユニットの構造断面図
（ｂ）同実施例の分岐水栓に内装しているスピンドルユニットのスピンドル本体の外観斜視図
（ｃ）同実施例の分岐水栓に内装しているスピンドルユニットの摺動子およびスピンドルの端部形状の外観斜視図
【図５】（ａ）本発明の第２の実施例の分岐水栓のキャップとスピンドルユニットの嵌挿部外観斜視図
（ｂ）同実施例の分岐水栓のキャップとスピンドルユニットの結合部外観斜視図
（ｃ）同実施例の分岐水栓のキャップ部すべり止めツマミの構成図
（ｄ）同実施例の分岐水栓のキャップ部すべり止め回動ツマミの構成図
（ｅ）同実施例の分岐水栓のキャップ部すべり止め材料の構成図
（ｆ）同実施例の分岐水栓のスピンドルユニット部プラス穴構成図
（ｇ）同実施例の分岐水栓のスピンドルユニット部マイナス穴構成図
（ｈ）同実施例の分岐水栓のスピンドルユニット部六角穴構成図
【図６】本発明の第３の実施例における分岐水栓の構造断面図
【図７】図６におけるＢ部拡大詳細断面図
【図８】本発明の一実施例における分岐水栓の衛生洗浄装置に配管した施工完了状態を示す外観斜視図
【図９】既設の一般的な止水栓の一例を示す構造断面図
【図１０】同止水栓の部品分解例を示す構造断面図
【図１１】従来の分岐水栓の構造断面図
【図１２】従来の給水装置用分岐水栓の取付け完了状態を示す構造断面図
【符号の説明】
１  止水栓
１ａ  一次ポート
１ｂ  二次ポート
１ｃ  二次ポート接続部
７  弁こま
１５  スピンドル
１６  スピンドルポート
６５  分岐水栓
６６  本体
６６ａ  中空水路部
６６ｂ  接続ポート
６７  アウトポート
６７ａ  回動ポート
６７ｂ  本体周接部
６８  スピンドルユニット
７３  連通溝
７６  給水接続部
７７  操作ポート
７８  スピンドル本体
７９  摺動子
７９ｃ  解体規制突起
７９ｄ  トルク伝達部
８０  ばね
８１  脱着板
９０  キャップ
９０ｃ  すべり止めツマミ
９０ｄ  回動ツマミ
９０ｅ  ゴムキャップ
９１  嵌挿溝
９３  キャップ突起
９４  嵌挿穴
【図１】
0003937573.tif 000002
【図２】
0003937573.tif 000003
【図３】
0003937573.tif 000004
【図４】
0003937573.tif 000005
【図５】
0003937573.tif 000006
【図６】
0003937573.tif 000007
【図７】
0003937573.tif 000008
【図８】
0003937573.tif 000009
【図９】
0003937573.tif 000010
【図１０】
0003937573.tif 000011
【図１１】
0003937573.tif 000012
【図１２】
0003937573.tif 000013